(57)【特許請求の範囲】
【請求項１】
カードのユーザー識別情報とカード識別情報とが読み取られると、当該ユーザー識別情報とカード識別情報とに対応して、前記カードに関係するカード情報を第一の登録情報として表示する第一の登録情報表示手段と、
前記第一の登録情報が表示された後に、ユーザー認証を実行するユーザー認証手段と、
前記ユーザー認証の結果、ログインが実行されると、前記ユーザー識別情報とカード識別情報とに対応して、前記カードの所有者の個人情報を第二の登録情報として表示する第二の登録情報表示手段と
を備えることを特徴とする表示操作装置。
【請求項２】
前記第二の登録情報が表示された際に、ユーザーに、変更後の第二の登録情報を問い合わせて、変更後の第二の登録情報を受け付け、変更前の第二の登録情報とともに、変更後の第二の登録情報を出力する登録情報変更手段を更に備える
請求項１に記載の表示操作装置。
【請求項３】
前記登録情報変更手段は、自装置の識別情報を取得して、当該取得された識別情報と、予め登録された識別情報とを照合し、両者が合致している場合に、ユーザーから変更後の第二の登録情報を受け付け、両者が不一致の場合は、ユーザーから変更後の第二の登録情報を受け付けない
請求項２に記載の表示操作装置。
【請求項４】
カードのユーザー識別情報とカード識別情報とが読み取られると、当該ユーザー識別情報とカード識別情報とに対応して、前記カードに関係するカード情報を第一の登録情報として表示する第一のステップと、
前記第一の登録情報が表示された後に、ユーザー認証を実行する第二のステップと、
前記ユーザー認証の結果、ログインが実行されると、前記ユーザー識別情報とカード識別情報とに対応して、前記カードの所有者の個人情報を第二の登録情報として表示する第三のステップと
を備えることを特徴とする表示操作方法。
【発明の詳細な説明】
【技術分野】
【０００１】
本発明は、表示操作装置及び表示操作方法に関し、詳しくは、カードに登録されている登録情報を安全で正確に確認することが可能な表示操作装置及び表示操作方法に関する。
【背景技術】
【０００２】
近年、ユーザー認証のための認証カードが普及しており、ユーザー認証を必要とする装置に対して、多種の技術が存在する。例えば、特開２００７−１２２３８４号公報（特許文献１）には、ログイン名及びパスワードを用いてユーザー認証を行う認証装置が開示されている。この装置では、無線通信により識別信号を送信することができるＩＣカードを携帯したユーザーが当該装置に近づいた場合、ログイン名のみを操作パネル上に表示し、パスワードを受け付ける状態にする。又、この装置では、ユーザーが当該装置の近傍を離れた場合、ログイン名の表示を停止し、セキュリティの向上を図るとしている。
【先行技術文献】
【特許文献】
【０００３】
【特許文献１】特開２００７−１２２３８４号公報
【発明の概要】
【発明が解決しようとする課題】
【０００４】
特許文献１に記載の技術では、ＩＣカードの情報に基づいて、ユーザーがログイン前にログイン名を表示して、手間を削減している。しかしながら、この技術では、このＩＣカードに関係する情報については、不明であり、ユーザーが変更や修正することが出来ないという問題がある。
【０００５】
一方、近年、ＩＣカードに限らず、キャッシュカード、クレジットカード、ポイントカード等の電子カードの普及により、一人のユーザーが複数の電子カードを携帯することが多くなってきている。このような状況の中で、ユーザーが、各電子カードに対する登録情報を十分に把握することが出来ないという事態が発生している。例えば、ユーザーが、電子カードに対して登録している登録情報を確認して変更や修正する場合には、この電子カードの発行元に問い合わせて、申し出をする必要があり、非常に手間であるという問題がある。又、電子カードの発行元では、この登録情報を包括的に一つの端末装置で管理している実態もある。
【０００６】
そこで、本発明は、前記問題を解決するためになされたものであり、電子カードに登録されている登録情報を安全で正確に確認することが可能な表示操作装置及び表示操作方法を提供することを目的とする。
【課題を解決するための手段】
【０００７】
上述した課題を解決し、目的を達成するために、本発明に係る表示操作装置は、カードのユーザー識別情報とカード識別情報とが読み取られると、当該ユーザー識別情報とカード識別情報とに対応して、前記カードに関係するカード情報を第一の登録情報として表示する第一の登録情報表示手段と、前記第一の登録情報が表示された後に、前記ユーザー認証を実行するユーザー認証手段と、前記ユーザー認証の結果、ログインが実行されると、前記ユーザー識別情報とカード識別情報とに対応して、前記カードの所有者の個人情報を第二の登録情報として表示する第二の登録情報表示手段とを備えることを特徴とする。
【０００８】
又、前記第二の登録情報が表示された際に、ユーザーに、変更後の第二の登録情報を問い合わせて、変更後の第二の登録情報を受け付け、変更前の第二の登録情報とともに、変更後の第二の登録情報を出力する登録情報変更手段を更に備える。
【０００９】
又、前記登録情報変更手段は、自装置の識別情報を取得して、当該取得された識別情報と、予め登録された識別情報とを照合し、両者が合致している場合に、ユーザーから変更後の第二の登録情報を受け付け、両者が不一致の場合は、ユーザーから変更後の第二の登録情報を受け付けない。
【００１０】
尚、本発明は、表示操作方法として提供することが出来る。即ち、本発明は、カードのユーザー識別情報とカード識別情報とが読み取られると、当該ユーザー識別情報とカード識別情報とに対応して、前記カードに関係するカード情報を第一の登録情報として表示する第一のステップと、前記第一の登録情報が表示された後に、前記ユーザー認証を実行する第二のステップと、前記ユーザー認証の結果、ログインが実行されると、前記ユーザー識別情報とカード識別情報とに対応して、前記カードの所有者の個人情報を第二の登録情報として表示する第三のステップとを備えることを特徴とする。このような構成であっても、上述と同様の効果を得ることが可能となる。
【００１１】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００１２】
本発明の表示操作装置及び表示操作方法によれば、カードに登録されている登録情報を安全で正確に確認することが可能となる。
【図面の簡単な説明】
【００１３】
【図１】本発明の実施形態に係る表示操作装置を備える複合機の概略模式図である。
【図２】本発明の実施形態に係る表示操作装置の全体構成を示す概念図である。
【図３】本発明の実施形態に係る複合機及び表示操作部の制御系ハードウェアの構成を示す図である。
【図４】本発明の実施形態に係る複合機及び表示操作部の機能ブロック図である。
【図５】本発明の実施形態の実行手順を示すためのフローチャートである。
【図６】本発明の実施形態の登録テーブルの一例を示す図（図６Ａ）と、本発明の実施形態の第一の登録情報表示画面の一例を示す図（図６Ｂ）と、本発明の実施形態の第二の登録情報表示画面の一例を示す図（図６Ｃ）とである。
【発明を実施するための形態】
【００１４】
以下に、添付図面を参照して、本発明の表示操作装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１５】
＜表示操作装置＞
以下に、本発明の実施形態に係る表示操作装置（表示操作部）を一例として、当該表示操作部を備えた画像形成装置について説明する。図１は、本発明の実施形態に係る画像形成装置の概略模式図である。但し、本発明に直接には関係しない各部の詳細は省略している。尚、本発明の画像形成装置は、例えば、コピー、スキャナ、プリンタ等の機能を備えた複合機が該当する。
【００１６】
例えば、ユーザーが、ユーザー認証用の電子カードを保有して、複合機１００（ＭＦＰ：Ｍｕｌｔｉ  Ｆｕｎｃｔｉｏｎ  Ｐｅｒｉｐｈｅｒａｌ）に赴き、複合機１００を利用する場合、自分の電子カード２００を、当該複合機１００に予め設けられたカードリーダー２０１に挿入し、当該電子カード２００のユーザー情報を当該カードリーダー２０１に読み取らせる。
【００１７】
カードリーダー２０１は、表示操作部１０１（操作パネル）に接続されており、当該表示操作部１０１がカードリーダー２０１により読み取られたユーザー情報に基づいて、ユーザー認証を実行する。
【００１８】
ユーザー認証が成功すれば、例えば、表示操作部１０１は操作画面を表示するため、ユーザーは、操作画面を見ながら、所定の設定条件を入力し、印刷ジョブを実行させる。
【００１９】
複合機１００は、画像読取部、画像形成部、搬送部、定着部を有し、各部を連動して駆動させることで、前記印刷ジョブを実行する。
【００２０】
尚、複合機１００の表示操作部１０１には、ネットワーク３００を介して所定の端末装置３０１（例えば、サーバー）に接続されており、この表示操作部１０１は、ネットワーク３００を介して、前記ユーザー情報に基づき、前記端末装置３０１から所定の情報を読み出したり書き換えたりすることが可能である。
【００２１】
次に、図２は、本発明の実施形態に係る表示操作部の全体構成を示す概念図である。ユーザーは、前記表示操作部１０１を用いて、所定の操作画面を確認したり、所定の情報を入力したりする。この表示操作部１０１には、タッチパネル２０１（操作パネル）、操作キー２０２が設けられている。
【００２２】
前記タッチパネル２０１では、所定の画面が表示されたり、当該表示された画面内のキーを押下することによって、当該押下されたキーに対応する情報が入力されたりする。
【００２３】
前記操作キー２０２では、例えば、テンキー、スタートキー、クリアキー、ストップキー、リセットキー、電源キー等が備えられている。
【００２４】
次に、図３を用いて、複合機１００及び表示操作部１０１の制御系ハードウェアの構成を説明する。図３は、本発明に係る複合機１００及び表示操作部１０１の制御系ハードウェアの構成を示す図である。ただし、本発明に直接には関係しない各部の詳細は省略している。
【００２５】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、表示操作部１０１、カードリーダー２０１、外部インターフェイス３０６を内部バス３０７によって接続している。
【００２６】
前記ＣＰＵ３０１は、例えば、前記ＲＡＭ３０３を作業領域として利用し、前記ＲＯＭ３０２、前記ＨＤＤ３０４等に記憶されているプログラムを実行し、当該実行結果に基づいて前記ドライバ３０５、前記表示操作部１０１、前記カードリーダー２０１、前記外部インターフェイス３０６からのデータや指示、信号、命令等を授受し、図１に示した各駆動部の動作を制御する。又、表示操作部１０１は、ＣＰＵ３０８、ＲＯＭ３０９、ＲＡＭ３１０を備え、各部の機能は、上述と同様である。
【００２７】
一方、外部インターフェイス３０６には、ネットワーク３００を介して端末装置３０１と通信可能に接続されており、この端末装置３０１の制御回路には、図示しないＣＰＵ、ＲＯＭ、ＲＡＭ、ＨＤＤ、外部インターフェイスが設けられている。各部の機能は、上述と同様である。
【００２８】
又、前記駆動部以外の後述する各手段（図４に示す）についても、前記ＣＰＵが、各プログラムを実行することで当該各手段を実現する。前記ＲＯＭ、ＲＡＭ、ＨＤＤ等には、以下に説明する各手段を実現するプログラムやデータが記憶されている。
【００２９】
＜本発明の実施形態＞
次に、図４、図５を参照しながら、本発明の実施形態に係る構成及び実行手順について説明する。図４は、本発明の複合機及び表示操作部の機能ブロック図である。又、図５は、本発明の実行手順を示すためのフローチャートである。
【００３０】
先ず、自身の（電子）カード２００（例えば、ポイントカード）を所有するユーザーが、複合機１００へ赴き、このポイントカード２００を複合機１００のカードリーダー２０１に設置すると、当該複合機１００のカード読取手段４０１が、当該カードリーダー２０１を用いてポイントカード２００に記憶されたユーザー識別情報（例えば、ユーザーの氏名「ＡＡＡ」）とカード識別情報（例えば、発行元の名称「ＣＣＣ」）とを読み取る（図５：Ｓ１０１）。
【００３１】
ここで、カード読取手段４０１がユーザー識別情報とカード識別情報とを読み取る方法は、特に限定はなく、例えば、ポイントカード２００がＩＣカードで、カードリーダー２０１が非接触式である場合には、カード読取手段４０１が、カードリーダー２０１を用いて、ポイントカード２００内のＩＣに登録されているユーザー識別情報とカード識別情報とを読み取る。
【００３２】
又、複合機１００の画像読取部を使用する場合には、カード読取手段４０１が、ユーザーにポイントカード２００のユーザー識別情報及びカード識別情報が記載された一面を読み取らせる旨の画面を表示して、ユーザーにポイントカード２００の一面を読み取らせることで、カード読取手段４０１が、ユーザー識別情報とカード識別情報とを読み取る。
【００３３】
ここで、カード識別情報は、カードの発行元を一義的に示す情報を挙げることが出来、例えば、カード番号、発行元の名称、バーコード、店名、発行元のアクセス先等を挙げることが出来る。
【００３４】
さて、カード読取手段４０１がユーザー識別情報とカード識別情報とを読み取ると、その旨を第一の登録情報表示手段４０２に通知する。当該通知を受けた第一の登録情報表示手段４０２は、前記読み取られたユーザー識別情報「ＡＡＡ」とカード識別情報「ＣＣＣ」とに対応して、ポイントカード２００に関係するカード情報を第一の登録情報として表示する（図５：Ｓ１０２）。
【００３５】
ここで、第一の登録情報表示手段４０２が表示する方法は、特に限定は無いが、例えば、以下のようになされる。即ち、第一の登録情報表示手段４０２は、先ず、前記カード識別情報「ＣＣＣ」に基づいて、このカード識別情報の発行元を示すアクセス先を指定する。ここで、第一の登録情報表示手段４０２がアクセス先を指定する場合には、例えば、前記カード識別情報「ＣＣＣ」をそのままアクセス先として設定したり、表示操作部１０１にカード識別情報とアクセス先とを関連付けたアクセステーブルを予め用意し、第一の登録情報表示手段４０２がこのアクセステーブルのカード識別情報と前記読み取られたカード識別情報とを対応付けて、当該対応したカード識別情報のアクセス先を指定したりすることが出来る。
【００３６】
次に、第一の登録情報表示手段４０２は、ネットワーク３００を介して、前記指定したアクセス先に対応する発行元の端末装置３０１（サーバー）にアクセスする。
【００３７】
ここで、前記発行元のサーバー３０１には、図６Ａに示すように、ユーザー識別情報６０１と、当該ユーザー識別情報６０１に対応した第一の登録情報６０２と、当該ユーザー識別情報６０１に対応した第二の登録情報６０３とが登録テーブル６００として予め関連付けて記憶されている。
【００３８】
第一の登録情報表示手段４０２は、前記登録テーブル６００のユーザー識別情報６０１と、前記読み取られたユーザー識別情報「ＡＡＡ」とを対応付けて、当該対応したユーザー識別情報６０１の第一の登録情報６０２を取得する。
【００３９】
ここで、第一の登録情報６０２は、例えば、カード２００を識別可能なカード２００の発行元（氏名）、発行元の住所、発行元の連絡先（電話番号等）等の発行元を特定することが可能な情報を挙げることが出来る。これにより、例えば、ユーザー「ＡＡＡ」がカード２００を紛失した場合に、それを拾った第三者がカード２００を読み取らせれば、カード２００の発行元を認識して、カードの紛失時の連絡先として利用することが可能となる。又、第一の登録情報６０２には、ポイントカードの場合の現在のポイントや有効期限、ＩＣカードの場合の残金や有効期限、ＩＤカードの場合の名称や所属部署名、コピーカードの場合の印刷可能枚数等を含めても良い。更に、第一の登録情報６０２には、ユーザーが登録することを前提に、個人情報として簡単な氏名等を含めても良い。
【００４０】
この第一の登録情報６０２は、基本的に、カード２００に記載されている情報であり、カード２００に対応して第三者が知ることが出来る情報に限定されるが、ユーザーの設定により、情報の内容を拡縮しても構わない。
【００４１】
さて、第一の登録情報表示手段４０２は、前記取得した第一の登録情報６０２に基づいてタッチパネル２０１上に第一の登録情報画面を表示する（図５：Ｓ１０２）。
【００４２】
ここで、前記第一の登録情報画面６０４には、図６Ｂに示すように、第一の登録情報６０２である「発行元、発行元の住所、発行元の連絡先」６０５が表示されるとともに、ユーザー認証を行うためのログインキー６０６と、ＯＫキー６０７とが選択可能に表示される。これにより、ユーザーは、先ず、第一の登録情報６０２を確認することが可能となる。
【００４３】
ここで、現在のユーザーが、カード２００の所有者であれば、ユーザーは、前記ログインキー６０６を選択すると、第一の登録情報表示手段４０２が、当該ログインキー６０６の選択を受け付けて、その旨をユーザー認証手段４０３に通知する。当該通知を受けたユーザー認証手段４０３は、ユーザーにユーザー識別情報とパスワードとを問い合わせて、前記ユーザーのユーザー認証を実行する（図５：Ｓ１０３）。
【００４４】
ここで、ユーザー認証手段４０３がユーザー認証する方法は、特に限定はなく、例えば、別途、ログイン画面をタッチパネル２０１上に表示して、ユーザーからユーザー識別情報（「ＡＡＡ」）と、これに対応するパスワード「ｚｚｚ」とを受け付けて、当該受け付けたユーザー識別情報「ＡＡＡ」及びパスワード「ｚｚｚ」と、予め登録されたログイン用の登録ユーザー識別情報及び登録パスワードとをそれぞれ照合する。尚、登録ユーザー識別情報及び登録パスワードは、例えば、所定の認証テーブルとして予め表示操作部１０１の所定のメモリーに記憶させておく。
【００４５】
前記照合の結果、前記受け付けたユーザー識別情報「ＡＡＡ」又は／及びパスワード「ｚｚｚ」が、前記登録ユーザー識別情報又は／及び登録パスワードと一致しない場合には（図５：Ｓ１０３ＮＯ）、ユーザー認証手段４０３は、前記ユーザーをログインすることなく、処理を終了する。この場合は、ユーザーが、前記カード２００の所有者以外の第三者である場合である。尚、ユーザーが、前記第一の登録情報画面６０４のＯＫキー６０７を単に選択した場合も同様である。
【００４６】
一方、前記照合の結果、前記受け付けたユーザー識別情報「ＡＡＡ」及びパスワード「ｚｚｚ」が、前記登録ユーザー識別情報及び登録パスワードと一致する場合には（図５：Ｓ１０３ＹＥＳ）、ユーザー認証手段４０３は、前記ユーザーをログインし、その旨を第二の登録情報表示手段４０４に通知する。当該通知を受けた第二の登録情報表示手段４０４は、前記ユーザー識別情報「ＡＡＡ」とカード識別情報「ＣＣＣ」とに対応して、ポイントカード２００の所有者（ユーザー）の個人情報を第二の登録情報として表示する（図５：Ｓ１０４）。
【００４７】
ここで、第二の登録情報表示手段４０４が表示する方法は、特に限定は無いが、例えば、以下のようになされる。即ち、第二の登録情報表示手段４０４は、上述と同様に、前記カード識別情報「ＣＣＣ」に対応するアクセス先を指定して、ネットワーク３００を介して、前記指定したアクセス先に対応する発行元のサーバー３０１にアクセスする。そして、第二の登録情報表示手段４０４は、前記発行元のサーバー３０１の登録テーブル６００のユーザー識別情報６０１と、前記ユーザー識別情報「ＡＡＡ」とを対応付けて、当該対応したユーザー識別情報６０１の第二の登録情報６０３を取得する。
【００４８】
ここで、第二の登録情報６０３は、例えば、氏名、ユーザーの住所、ユーザーの連絡先（電話番号等）等のカード２００の所有者の個人情報を挙げることが出来る。又、第二の登録情報６０３には、ユーザーがカード２００を使用した使用履歴や使用状況等を含めても構わない。
【００４９】
この第二の登録情報６０３は、基本的に、所有者の個人情報であり、カード２００に対応して第三者が知ることが出来ない情報に限定される。
【００５０】
さて、第二の登録情報表示手段４０４は、前記取得した第二の登録情報６０３に基づいてタッチパネル２０１上に第二の登録情報画面を表示する（図５：Ｓ１０４）。
【００５１】
ここで、前記第二の登録情報画面６０８には、図６Ｃに示すように、第二の登録情報６０３である「ユーザーの氏名、ユーザーの住所、ユーザーの連絡先」６０９が表示されるとともに、第二の登録情報６０３を変更するための変更キー６１０と、ログアウトキー６１１とが選択可能に表示される。これにより、ユーザーは、ログインにより、表示される情報量が増えて、個人情報を容易に確認することが可能となる。
【００５２】
ここで、ユーザーが、前記第二の登録情報画面６０８を見ながら、ユーザーの住所「ａａａ」に誤りがあり、その場で修正したいと考え、前記変更キー６１０を選択すると、第二の登録情報表示手段４０４は、前記変更キー６１０の選択を受け付けて（図５：Ｓ１０５ＹＥＳ）、その旨を登録情報変更手段４０５に通知する。当該通知を受けた登録情報変更手段４０５は、ユーザーに変更後の第二の登録情報を問い合わせて、変更後の第二の登録情報を受け付ける（図５：Ｓ１０６）。
【００５３】
ここで、登録情報変更手段４０５が受け付ける方法は、特に限定は無いが、例えば、別途、変更後の（新たな）登録情報を入力可能な登録情報受付画面をタッチパネル２０１上に表示して、ユーザーから変更後の第二の登録情報を受け付ける。例えば、ユーザーが、前記登録情報受付画面のうち、既に表示された変更前の第二の登録情報（ユーザーの住所「ａａａ」）を選択して、変更後の第二の登録情報（ユーザーの住所「ｂｂｂ」）を入力すると、登録情報変更手段４０５は、変更前の第二の登録情報に対して変更後の第二の登録情報を受け付けて、発行元のサーバー３０１にアクセスし、図６Ａに示すように、変更後の第二の登録情報を受け付けた旨の履歴を登録テーブル６００に関連付けておく。これにより、登録情報変更手段４０５は、前記変更後の第二の登録情報を受け付ける（図５：Ｓ１０６）。尚、この状態では、未だ、第二の登録情報を変更しない。
【００５４】
そして、登録情報変更手段４０５は、変更後の第二の登録情報を受け付けると、既に表示された変更前の第二の登録情報とともに、変更後の第二の登録情報を出力する（図５：Ｓ１０７）。
【００５５】
ここで、登録情報変更手段４０５が出力する方法は、特に限定は無いが、例えば、複合機１００の印刷手段４０６に、変更前後の第二の登録情報を所定の用紙に印刷して出力する。これにより、例えば、ユーザーが、この印刷物を、変更した事実を示す証拠として利用し、カード２００の発行元に提出することが出来る。カード２００の発行元では、上述のように、登録テーブル６００に、変更後の第二の登録情報が履歴として記憶されているから、発行元が、当該履歴とユーザーの印刷物の提出とを照合して、第二の登録情報を変更する。このようにすると、ユーザーが勝手に登録情報を変更すること無く、発行元が、ユーザーの変更後の登録情報を申し出ることで、この変更を許可した後に、ユーザーの登録情報を変更出来るため、ユーザーの登録情報の管理を適切にすることが出来る。
【００５６】
尚、登録情報変更手段４０５が印刷物を出力する際に、前記カード２００の登録情報の変更に関係する関係書類（申請書、手順、必要書類等）を合わせて出力するよう構成すると、ユーザーの利便性を更に向上させる。
【００５７】
さて、ユーザーが、前記第二の登録情報画面６０８を見ながら、前記ログアウトキー６１１を選択すると、第二の登録情報表示手段４０４は、前記ログアウトキー６１１の選択を受け付けて（図５：Ｓ１０８ＹＥＳ）、その旨をユーザー認証手段４０３に通知する。当該通知を受けたユーザー認証手段４０３は、このユーザーをログアウトし、全ての処理を終了する。尚、Ｓ１０５において、ユーザーが、前記第二の登録情報画面６０８を見ながら、変更すること無く（図５：Ｓ１０５ＮＯ）、前記ログアウトキー６１１を選択する場合であっても（図５：Ｓ１０８ＹＥＳ）、同様である。
【００５８】
このように、本発明では、カードのユーザー識別情報とカード識別情報とが読み取られると、当該ユーザー識別情報とカード識別情報とに対応して、前記カードに関係するカード情報を第一の登録情報として表示する第一の登録情報表示手段４０２と、前記第一の登録情報が表示された後に、前記ユーザー認証を実行するユーザー認証手段４０３と、前記ユーザー認証の結果、ログインが実行されると、前記ユーザー識別情報とカード識別情報とに対応して、前記カードの所有者の個人情報を第二の登録情報として表示する第二の登録情報表示手段４０４とを備えることを特徴とする。これにより、カードに登録されている登録情報を安全で正確に確認することが可能となる。
【００５９】
尚、本発明の実施形態では、どの表示操作部１０１の登録情報変更手段４０５でも、ユーザーに、変更後の第二の登録情報を問い合わせて、変更後の第二の登録情報を受け付けるよう構成したが、他の構成でも構わない。例えば、登録情報変更手段４０５は、自装置（表示操作部１０１）の識別情報（位置情報等）を取得して、当該取得された識別情報と、予め登録された（登録情報の変更を許可された許可装置の）識別情報とを照合し、両者が合致している場合に、ユーザーから変更後の第二の登録情報を受け付けるよう構成しても良い。両者が不一致の場合は、登録情報変更手段４０５は、ユーザーから変更後の第二の登録情報を受け付けない。これにより、セキュリティーの観点から、限られた場所に存在する装置のみユーザーからの登録情報の変更を受け付けるよう構成出来る。
【００６０】
又、本発明の実施形態では、表示操作部１０１及び複合機１００が各手段を備えるよう構成したが、当該各手段を実現するプログラムを記憶媒体に記憶させ、当該記憶媒体を提供するよう構成しても構わない。当該構成では、前記プログラムを表示操作部１０１に読み出させ、当該表示操作部１０１が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００６１】
以上のように、本発明に係る表示操作装置及び表示操作方法は、複合機はもちろん、複写機、プリンタ、端末装置、タブレット型端末装置、ノートパソコン、携帯端末装置等の表示操作装置に有用であり、カードに登録されている登録情報を安全で正確に確認することが可能な表示操作装置及び表示操作方法として有効である。
【符号の説明】
【００６２】
１００  複合機
１０１  表示操作部
４０１  カード読取手段
４０２  第一の登録情報表示手段
４０３  ユーザー認証手段
４０４  第二の登録情報表示手段
４０５  登録情報変更手段
４０６  印刷手段
【図１】
0005965424.tif 000002
【図２】
0005965424.tif 000003
【図３】
0005965424.tif 000004
【図４】
0005965424.tif 000005
【図５】
0005965424.tif 000006
【図６】
0005965424.tif 000007